(57)【要約】【課題】  記録装置の高さ寸法を低くすることができ、搬送方向の長さの短い小さなサイズの被記録材を使用した場合にも取り出しが容易で、閉塞状態と拡開状態とをロックする２組のロック機構の部品の共有化を図ることのできる排出用スタッカ等を提供する。【解決手段】  本発明の排出用スタッカ５０は、スタッカ本体５２の回動自由端５４側の幅方向中央部にスタッカ本体５２の端面を回動基端５９側に凹陥させた凹陥部５５を有すると共に、スタッカ本体５２の幅寸法Ｗがプリンタ本体３のほぼ幅寸法一杯に開口された前面開口３０を閉塞し得るように幅広に設定した。【選択図】図１
2006282334.tif 000002
【特許請求の範囲】
【請求項１】
記録が実行され外部に排出された被記録材を受け止めて下方より支持すると共に、記録装置本体に対して回動自在に接続され、未使用時には記録装置本体の前面開口を閉塞して記録装置の外観構成部の一部となり、使用時には前方に拡開されて上記のように排出された被記録材の受け部材として機能する排出用スタッカであって、
前記排出用スタッカはスタッカ本体の回動自由端側の幅方向中央部にスタッカ本体の端面を回動基端側に凹陥させた凹陥部を有すると共に、スタッカ本体の幅寸法が記録装置本体のほぼ幅寸法一杯に開口された前面開口を閉塞し得るよう幅広に設定されていることを特徴とする排出用スタッカ。
【請求項２】
請求項１において、前記凹陥部における対向する一方の対辺は被記録材の搬送基準辺の延長線上より記録装置の幅方向内側に位置するように設定されていることを特徴とする排出用スタッカ。
【請求項３】
請求項１または２において、前記凹陥部の幅寸法は、Ａ４サイズの被記録材を縦向きで使用した場合に、Ａ４サイズの被記録材の幅方向の両側縁が前記凹陥部の対向する２つの対辺を跨ってスタッカ本体上面の載置面に支持されるように設定されていることを特徴とする排出用スタッカ。
【請求項４】
請求項１〜３のいずれか１項において、前記排出用スタッカを閉塞状態にした時、前記凹陥部が記録装置本体の前面開口上部中央部に設けられているメモリカード挿入部等の機能操作部を受け入れることができるよう、該機能操作部との干渉を避けた形状及び位置に前記凹陥部は設けられていることを特徴とする排出用スタッカ。
【請求項５】
請求項１〜４のいずれか１項において、前記スタッカ本体と記録装置本体との間には排出用スタッカの閉塞状態と拡開状態とをロックする係合凸部と係合凹部からなる２組のロック機構が設けられており、上記係合凸部と係合凹部のいずれか一方はスタッカ本体に対して共用の１つのみ設けられていて、当該１つの係合凸部ないし係合凹部を使用して、排出用スタッカの閉塞状態と拡開状態の両方のロックを兼用して実行できるようにしたことを特徴とする排出用スタッカ。
【請求項６】
請求項１〜４のいずれか１項において、前記排出用スタッカはスタッカ本体の前記凹陥部に延長スタッカを備え、前記スタッカ本体と記録装置本体との間およびスタッカ本体と延長スタッカとの間には、排出用スタッカの閉塞状態と延長スタッカの引き出し状態をロックするための係合凸部と係合凹部からなる２組のロック機構が設けられており、上記係合凸部と係合凹部のいずれか一方はスタッカ本体に対しては共用の１つのみ設けられていて、当該１つの係合凸部ないし係合凹部を使用して、排出用スタッカの閉塞状態と延長スタッカの引き出し状態の両方のロックを兼用して実行できるようにしたことを特徴とする排出用スタッカ。
【請求項７】
請求項１〜６のいずれか１項において、前記記録装置本体の前面開口は斜め前方下方を向くように傾斜姿勢で設けられており、前記排出用スタッカは閉塞状態においてスタッカ本体の回動自由端側が上部前方に位置し、スタッカ本体の回動基端側が下部後方に位置するように傾斜姿勢で設けられていることを特徴とする排出用スタッカ。
【請求項８】
記録装置本体と、該記録装置本体に対して回動自在に接続され、未使用時には記録装置本体の前面開口を閉塞して記録装置の外観構成部材の一部となり、使用時には前方に拡開されて記録が実行され外部に排出された被記録材を受け止めて下方より支持する被記録材の受け部材として機能する排出用スタッカとを備える記録装置であって、
前記排出用スタッカとして請求項１〜７のいずれか１項に記載した排出用スタッカを適用したことを特徴とする記録装置。
【請求項９】
液体噴射装置本体と、該液体噴射装置本体に対して回動自在に接続され、未使用時には液体噴射装置本体の前面開口を閉塞して液体噴射装置の外観構成部材の一部となり、使用時には前方に拡開されて液体が噴射され外部に排出された被液体噴射材を受け止めて下方より支持する被液体噴射材の受け部材として機能する排出用スタッカとを備える液体噴射装置であって、
前記排出用スタッカはスタッカ本体の回動自由端側の幅方向中央部にスタッカ本体の端面を回動基端側に凹陥させた凹陥部を有すると共に、スタッカ本体の幅寸法が液体噴射装置本体のほぼ幅寸法一杯に開口された前面開口を閉塞し得るよう幅広に設定されていることを特徴とする液体噴射装置。
【発明の詳細な説明】
【技術分野】
【０００１】
本発明は、記録が実行され外部に排出された被記録材を受け止め下方より支持する排出用スタッカに係り、特に記録装置本体に対して回動自在に接続され、未使用時には記録装置本体の前面開口を閉塞して記録装置の外観構成部材の一部となり、使用時には前方に拡開されて上記のように排出された被記録材の受け部材として機能する排出用スタッカ及び該排出用スタッカを備えた記録装置に関する。  
更に、本発明はインク等の液体をそのヘッドから吐出（噴射）して被記録材（被液体噴射材）に記録を実行する（液体を付着する）インクジェット式記録装置などの液体噴射装置及び該液体噴射装置において設けられる排出用スタッカに関するものである。
【０００２】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
以下、インクジェット式記録装置あるいは液体噴射装置の一例であるインクジェットプリンタを例に採って説明する。  
インクジェットプリンタには下記の特許文献１、２に示すようにプリンタ本体に対して回動自在に接続され、未使用時にはプリンタ本体の前面開口を閉塞してプリンタ本体の外観を構成する前面パネルの一部となり、使用時には前方に拡開されて印刷され外部に排出された用紙を受け止め下方より支持する用紙の受け部材として機能する排出用スタッカが設けられている。
【０００５】
このような排出用スタッカは一般には略矩形平板状をしており、排出用スタッカの幅寸法はプリンタ本体の幅寸法より小さめになっている。また、閉塞状態の排出用スタッカ側傍のプリンタ本体における前面パネル上には操作ボタンが配置されており、閉塞状態の排出用スタッカ上方のプリンタ本体における前面パネル上にはメモリカード挿入部が配置されていた。また、排出用スタッカの拡開状態における長さ寸法は、大きなサイズの用紙にも対応できるように比較的長めに設定されており、これに伴い排出用スタッカをほぼ垂直に上方に回動させて閉塞状態に移行した時の排出用スタッカの高さ寸法も比較的高めに設定されていた。
【０００６】
従って閉塞状態における排出用スタッカの高さ寸法が高く、排出用スタッカの上方にメモリカード挿入部を配置していた従来のインクジェットプリンタにあっては、インクジェットプリンタ全体の高さ寸法も高くなり、インクジェットプリンタの小型化を妨げる１つの要因となっていた。また、拡開状態において排出用スタッカの長さ寸法が長いと、大きなサイズの用紙（搬送方向の長さの長い用紙）については用紙の支持面積が増えるため望ましいと言えるが、小さなサイズの用紙（搬送方向の長さの短い用紙）を使用した場合には用紙の先端が排出用スタッカの自由端側の端面から突出しないため、指が掛けづらく排出用スタッカからの用紙の取り出しが困難になっていた。
【０００７】
また、排出用スタッカとプリンタ本体との間には、排出用スタッカの閉塞状態と拡開状態とをロックする２組のロック機構が別々に設けられていた。２組のロック機構の構成はほとんど同様であり、それぞれ同様の構成部品を備えているにも拘らず部品の共用化が図られておらず、部品点数の増大を招いていた。
【０００８】
或いは、排出用スタッカの閉塞状態と延長スタッカの引き出し状態とをロックする２組のロック機構が別々に設けられていた。２組のロック機構の構成はほとんど同様であり、それぞれ同様の構成部品を備えているにも拘らず部品の共用化が図られておらず、部品点数の増大を招いていた。
【０００９】
【特許文献１】特開２００４−７５２６２号公報
【特許文献２】特開２００４−３３１２５７号公報
【発明の開示】
【発明が解決しようとする課題】
【００１０】
そこで本発明は、このような背景技術及び背景技術が抱えていた問題点の存在を踏まえてなされたものであって、記録装置の高さ寸法を低くすることができ、搬送方向の長さの短い小さなサイズの被記録材を使用した場合にも取り出しが容易で、各動作状態をロックする２組のロック機構の部品の共有化を図ることのできる排出用スタッカ及び該排出用スタッカを備えたコンパクト且つ低コストの記録装置等を提供することを目的とするものである。
【課題を解決するための手段】
【００１１】
上記目的を達成するために本発明の第１の態様に係る排出用スタッカは、記録が実行され外部に排出された被記録材を受け止めて下方より支持すると共に、記録装置本体に対して回動自在に接続され、未使用時には記録装置本体の前面開口を閉塞して記録装置の外観構成部の一部となり、使用時には前方に拡開されて上記のように排出された被記録材の受け部材として機能する排出用スタッカであって、前記排出用スタッカはスタッカ本体の回動自由端側の幅方向中央部にスタッカ本体の端面を回動基端側に凹陥させた凹陥部を有すると共に、スタッカ本体の幅寸法が記録装置本体のほぼ幅寸法一杯に開口された前面開口を閉塞し得るよう幅広に設定されていることを特徴とするものである。
【００１２】
本発明の第１の態様によれば、スタッカ本体の回動自由端側の幅方向中央部に凹陥部を設けたことにより、排出用スタッカの拡開時には、搬送方向の長さの短い小さなサイズの被記録材に対しても指が掛かるようになり、被記録材の取り出しが容易になる。また、搬送方向の長さの長い大きなサイズの被記録材や撓み癖の付いた被記録材に対しては、スタッカ本体から延長スタッカを引き出すことにより、当該被記録材の確実な支持を図ることができる。また、排出用スタッカの閉塞時には、上記凹陥部内にメモリカード挿入部等を受け入れることのできるレイアウトを採用することによって記録装置の高さ寸法を低くでき、記録装置の小型化を図ることができるようになる。また、スタッカ本体の幅寸法を記録装置本体のほぼ幅寸法一杯に開口された前面開口を閉塞し得るように幅広に設定することにより、閉塞状態における排出用スタッカの載置面背面に大きなスペースが形成され、該スペースの有効利用を図ることによって記録装置に他の機能を付加したり、既存の部材の収容スペースとして利用することで記録装置の一層の小型化を図ることができる。
【００１３】
本発明の第２の態様に係る排出用スタッカは、本発明の第１の態様において、前記凹陥部における対向する一方の対辺は被記録材の搬送基準辺の延長線上より記録装置の幅方向内側に位置するように設定されていることを特徴とするものである。
【００１４】
本発明の第２の態様によれば、被記録材のサイズの大小に拘らず常に記録装置本体から排出された被記録材の一方の側縁部は、凹陥部の外方において前方に突出された状態で設けられている排出用スタッカの載置面に支持されているから、小さなサイズの被記録材を使用した場合の被記録材先端部の垂れ下がりが防止され、排出用スタッカからの被記録材の取り出しが容易になる。
【００１５】
本発明の第３の態様に係る排出用スタッカは、本発明の第１または第２の態様において、前記凹陥部の幅寸法は、Ａ４サイズの被記録材を縦向きで使用した場合に、Ａ４サイズの被記録材の幅方向の両側縁が前記凹陥部の対向する２つの対辺を跨ってスタッカ本体上面の載置面に支持されるように設定されていることを特徴とするものである。
【００１６】
本発明の第３の態様によれば、自立性が弱く垂れ下がり易いＡ４サイズ以上の大きめのサイズの被記録材を使用した場合には、凹陥部の左右の外方において前方に突出された状態で設けられている排出用スタッカの載置面によって被記録材の両側縁部が同時に支持されるから、大きなサイズの被記録材を使用した場合の被記録材先端部及び側縁部の垂れ下がりが防止される。
【００１７】
本発明の第４の態様に係る排出用スタッカは、本発明の第１〜第３のいずれか１つの態様において、前記排出用スタッカを閉塞状態にした時、前記凹陥部が記録装置本体の前面開口上部中央部に設けられているメモリカード挿入部等の機能操作部を受け入れることができるよう、該機能操作部との干渉を避けた形状及び位置に前記凹陥部は設けられていることを特徴とするものである。
【００１８】
本発明の第４の態様によれば、排出用スタッカ閉塞時のメモリカード挿入部等との干渉が確実に防止でき、凹陥部内にメモリカード挿入部を受け入れることで記録装置全体の高さ寸法を低くすることができる。また、メモリカード挿入部等の記録装置本体における前面パネル上のレイアウトを崩すことなく、排出用スタッカを設けることが可能となる。
【００１９】
本発明の第５の態様に係る排出用スタッカは、本発明の第１〜第４のいずれか１つの態様において、前記スタッカ本体と記録装置本体との間には排出用スタッカの閉塞状態と拡開状態とをロックする係合凸部と係合凹部からなる２組のロック機構が設けられており、上記係合凸部と係合凹部のいずれか一方はスタッカ本体に対して１組のみ設けられていて、当該１組の係合凸部ないし係合凹部を使用して排出用スタッカの閉塞状態と拡開状態の両方のロックを兼用して実行できるようにしたことを特徴とするものである。
【００２０】
本発明の第５の態様によれば、排出用スタッカの閉塞状態と拡開状態とをロックする２組のロック機構間の部品の共有化を図ることによって、部品点数の減少を通じて記録装置の軽量、小型化と製品コストの削減を図ることができる。
【００２１】
本発明の第６の態様に係る排出用スタッカは、本発明の第１〜第４のいずれか１つの態様において、前記排出用スタッカはスタッカ本体の前記凹陥部に延長スタッカを備え、前記スタッカ本体と記録装置本体との間およびスタッカ本体と延長スタッカとの間には、排出用スタッカの閉塞状態と延長スタッカの引き出し状態をロックするための係合凸部と係合凹部からなる２組のロック機構が設けられており、上記係合凸部と係合凹部のいずれか一方はスタッカ本体に対しては共用の１つのみ設けられていて、当該１つの係合凸部ないし係合凹部を使用して、排出用スタッカの閉塞状態と延長スタッカの引き出し状態の両方のロックを兼用して実行できるようにしたことを特徴とするものである。
【００２２】
本発明の第６の態様によれば、排出用スタッカの閉塞状態と延長スタッカの引き出し状態をそれぞれロックする２組のロック機構間の部品の共有化を図ることによって、部品点数の減少を通じて記録装置の軽量、小型化と製品コストの削減を図ることができる。
【００２３】
本発明の第７の態様に係る排出用スタッカは、本発明の第１〜第６のいずれか１つの態様において、前記記録装置本体の前面開口は斜め前方下方を向くように傾斜姿勢で設けられており、前記排出用スタッカは閉塞状態においてスタッカ本体の回動自由端側が上部前方に位置し、スタッカ本体の回動基端側が下部後方に位置するように傾斜姿勢で設けられていることを特徴とするものである。  
本発明の第７の態様によれば、排出用スタッカの長さ寸法を長めに設定しても記録装置の高さ寸法を低く抑えることができ、排出用スタッカの載置面の拡大ないし記録装置の小型化を図ることができる。
【００２４】
本発明の第８の態様に係る記録装置は、記録装置本体と、該記録装置本体に対して回動自在に接続され、未使用時には記録装置本体の前面開口を閉塞して記録装置の外観構成部材の一部となり、使用時には前方に拡開されて記録が実行され外部に排出された被記録材を受け止め下方より支持する被記録材の受け部材として機能する排出用スタッカとを備える記録装置であって、前記排出用スタッカとして本発明の第１〜第７のいずれか１つの態様の排出用スタッカを適用したことを特徴とするものである。
【００２５】
本発明の第８の態様によれば、記録装置の高さ寸法を低くすることができ、搬送方向の長さの短い小さなサイズの被記録材を使用した場合にも取り出しが容易で、排出用スタッカの閉塞状態と延長スタッカの引き出し状態の両方のロック機構の部品の共有化を図ることのできる排出用スタッカを備えたコンパクト且つ低コストの記録装置を提供することが可能となる。
【００２６】
本発明の第９の態様に係る液体噴射装置は、液体噴射装置本体と、該液体噴射装置本体に対して回動自在に接続され、未使用時には液体噴射装置本体の前面開口を閉塞して液体噴射装置の外観構成部材の一部となり、使用時には前方に拡開されて液体が噴射され外部に排出された被液体噴射材を受け止め下方より支持する被液体噴射材の受け部材として機能する排出用スタッカとを備える液体噴射装置であって、前記排出用スタッカはスタッカ本体の回動自由端側の幅方向中央部にスタッカ本体の端面を回動基端側に凹陥させた凹陥部を有すると共に、スタッカ本体の幅寸法が記録装置本体のほぼ幅寸法一杯に開口された前面開口を閉塞し得るよう幅広に設定されていることを特徴とするものである。
【発明を実施するための最良の形態】
【００２７】
以下、本願発明に係る排出用スタッカ及び該排出用スタッカを備えた液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２８】
図１は排出用スタッカを拡開し、給送用トレイを引き出した状態のインクジェットプリンタの外観を示す斜視図、図２は排出用スタッカを閉塞し、給送用トレイを収容した状態のインクジェットプリンタの外観を示す斜視図である。また図３は排出用スタッカを拡開し、給送用トレイを引き出した状態のインクジェットプリンタの内部構造の概略を示す側断面図である。
【００２９】
尚、ここで説明するインクジェットプリンタ１００は、図１に示すように液体噴射装置本体、そして記録装置本体の一例であるプリンタ本体３の上方にスキャナ装置４を備え、プリンタ本体３の前面パネル６の中央に液晶モニタ画面７、その左右に操作ボタン８を備え、前面パネル６の下方中央部にデジタルカメラで撮影した写真データが収録されたメモリカード等を挿入するためのメモリカード挿入部９が設けられているインクジェットプリンタである。また、このタイプのインクジェットプリンタ１００は、パーソナルコンピュータを使用しないでダイレクトに記録が実行でき、コピー機としても使用できる複合機能を有する比較的コンパクトなタイプのインクジェットプリンタである。
【００３０】
また、プリンタ本体３の前面には、プリンタ本体３のほぼ幅寸法一杯に開口され、斜め前方下方を向くように傾斜姿勢で設けられる前面開口３０が設けられている。また、液晶モニタ画面７と操作ボタン８の一部及びメモリカード挿入部９は、パーソナルコンピュータに接続しないでダイレクトに記録を実行する場合に使用される部位である。即ち、メモリカード挿入部９に図示しないメモリカードを挿入し、液晶モニタ画面７を見ながら操作ボタン８を操作することによって、好みの写真を簡単に家庭に居ながら何枚でも高品質にプリントすることができるようになっている。
【００３１】
また、プリンタ本体３の背面側の上部には自動的に被液体噴射材の一例である被記録材Ｐ（以下単に用紙Ｐともいう）を連続して給送することのできる自動給送装置２が設けられている。自動給送装置２は、用紙Ｐを複数枚積畳し得る給送用トレイ５と、給送用トレイ５上の用紙Ｐを給送用ローラ１４に向けて押上げるホッパ１６と、ホッパ１６との挟圧送り作用によって給送用トレイ５上の上位の用紙Ｐをピックアップする給送用ローラ１４と、最上位の用紙Ｐのみが給送されるように重送された後続の用紙Ｐを最上位の用紙Ｐから分離する分離作用部の一例である図示しない分離パッドないしリタードローラと、分離された後続の用紙Ｐを給送用トレイ５上に戻す図示しない戻しレバーとを備えている。
【００３２】
次に、用紙Ｐの搬送経路に従ってインクジェットプリンタ１００の内部構造の概略を説明する。給送用トレイ５は、最も搬送方向上流側に設けられおり、複数枚の用紙Ｐを積畳する被液体噴射材積畳部の一例である部材である。また、給送用トレイ５には、用紙Ｐの側端縁（エッジ）に当接し、用紙Ｐの搬送方向となる副走査方向Ｙへの円滑な搬送を案内するエッジガイド１５が設けられている。給送用トレイ５上の用紙Ｐは、給送用ローラ１４の回転軸１７の回転に伴って、ホッパ１６が所定のタイミングで上昇し、給送用ローラ１４に向けて押し上げられる。そして、給送用ローラ１４の回転に伴って最上面に位置する用紙Ｐから順番に給送用ローラ１４近傍に設けられる分離作用部の一例である図示しない分離パッドないしリタードローラの力を借りて、単位数ずつピックアップして搬送方向下流に向けて搬送される。
【００３３】
給送用ローラ１４の下流には、用紙Ｐの通過を検出する被液体噴射材検出手段の一例である図示しない被記録材検出手段（以下単に検出レバーという）が設けられており、検出レバーの下流には搬送用駆動ローラ１９ａと搬送用従動ローラ１９ｂとによって構成される搬送用ローラ１９が設けられている。このうち搬送用従動ローラ１９ｂは、搬出用従動ローラ用のローラホルダ１８の下流側において軸支され、当該ローラホルダ１８は、図示しないねじりコイルバネによって搬送用従動ローラ１９ｂが常に搬送用駆動ローラ１９ａに圧接したニップ状態になるように回動付勢されている。
【００３４】
そして、搬送用ローラ１９によって挟圧された状態で搬送される用紙Ｐは、記録ポジション２６に導かれ、記録ポジション２６には用紙Ｐに記録を実行する液体噴射実行手段の一例である記録実行手段の主たる構成要素として、主走査方向Ｘに往復可能に走行し得るキャリッジガイド軸１２によって軸支され、無端ベルト１１によって駆動されるキャリッジ１０が設けられている。そして、該キャリッジ１０の下面には、用紙Ｐ等に液体の一例であるインクを吐出（噴射）して記録を実行する液体噴射ヘッドの一例である記録ヘッド１３が搭載されている。また、キャリッジ１０には液体カートリッジの一例であるインクカートリッジＣが装着されている。
【００３５】
記録ヘッド１３の下方には、記録ヘッド１３と対向して記録ヘッド１３のヘッド面と用紙Ｐ等との間のプラテンギャップＰＧを規定するプラテン２８が設けられている。そして、キャリッジ１０とプラテン２８との間に用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを相互に繰り返すことによって、用紙Ｐ等の記録面のほぼ全面に亘って所望の記録が実行される。尚、上記プラテンギャップＰＧは、高精度の記録を実行する上で極めて重要な要素となっており、用紙Ｐの厚さの変化等に応じて適宜調節されるようになっている。
【００３６】
記録ヘッド１３の下流には、排出用駆動ローラ２０ａと、排出用ギザローラ２０ｂとによって構成される被液体噴射材排出手段の一例である排出用ローラ２０が設けられている。また、排出用ギザローラ２０ｂ近傍の搬送方向上流には、排出用補助ギザローラ２２が設けられている。そして、排出用ローラ２０によって排出された用紙Ｐは、更に搬送方向下流に位置する被液体噴射材受け部の一例である本発明の排出用スタッカ５０上の載置面５１に排出されるようになっている。
【００３７】
排出用ギザローラ２０ｂと排出用補助ギザローラ２２は、その外周に複数の歯を有する歯付きローラであり、それぞれを保持するローラホルダによって自由回転可能に軸支されている。また、上記搬送用従動ローラ１９ｂは搬送用駆動ローラ１９ａよりその軸芯位置が幾分搬送方向下流側に位置するように配設されており、上記排出用ギザローラ２０ｂは、排出用駆動ローラ２０ａより軸芯位置が幾分搬送方向上流側に位置するように配設されている。このような配設態様をとることによって、用紙Ｐは搬送用ローラ１９と排出用ローラ２０との間において僅かに下に凸となる俗に「逆ぞり」と呼ばれている湾曲状態が形成される。これにより、記録ヘッド１３に対向する位置にある用紙Ｐは、プラテン２８に押し付けられ、用紙Ｐの浮き上がりが防止されて正常に記録が実行されるようになっている。
【００３８】
［実施例］
次に、このようなインクジェットプリンタ１００の一部として設けられる本発明の排出用スタッカ５０について、図面に基づいて具体的に説明する。
【００３９】
図４は本発明の排出用スタッカを適用したインクジェットプリンタを使用してＡ４サイズの被記録材に記録を実行する場合の使用状態を示す平面図である。図５は排出用スタッカを拡開してロックした状態を示すインクジェットプリンタの側面図、図６は排出用スタッカを閉塞してロックした状態を示すインクジェットプリンタの側面図である。また図７は本発明の排出用スタッカを適用したインクジェットプリンタを使用して小さなサイズの被記録材に記録を実行する場合の使用状態を示す平面図、図８は排出用スタッカを拡開してロックした状態を示すロック機構周辺を破断した正面図（ａ）と、排出用スタッカを閉塞してロックした状態を示すロック機構周辺を破断した正面図（ｂ）である。
【００４０】
本発明の排出用スタッカ５０は、プリンタ本体３に対して回動自在に接続され、未使用時にはプリンタ本体３の前面開口３０を閉塞してインクジェットプリンタ１００の外観を構成する前面パネル６の一部として機能し、使用時には前方に拡開されて記録が実行され外部に排出された用紙Ｐを受け止め下方より支持する用紙Ｐの受け部材として機能する。
【００４１】
具体的には排出用スタッカ５０は、プリンタ本体３に対して直接回動自在に接続されるスタッカ本体５２と、スタッカ本体５２内に未使用時には入れ子状に収容され、使用時において前方に伸長させて使用される延長スタッカ５３とを備えることによって構成されている。このうちスタッカ本体５２の回動自由端５４側の幅方向中央部には、スタッカ本体５２の端面を回動基端５９側に矩形状ないしＵ字状に凹陥させた凹陥部５５が設けられている。  
前記延長スタッカ５３は該凹陥部５５に設けられる。そして、延長スタッカ５３の最大延長位置（最大引き出し位置）はＵ字状の凹陥部を埋めてスタッカ本体５２の先端（自由端）を一様な辺とする位置となるように形成されている。
【００４２】
この凹陥部５５は、排出用スタッカ５０の閉塞時にはプリンタ本体３の前面開口３０の上部中央部に設けられている前記メモリカード挿入部９等を受け入れることができ、更に排出用スタッカ５０の拡開時には搬送方向の長さの短い小さな用紙Ｐの排出用スタッカ５０からの取り出しを容易にするという２つの機能を有している。従って、当該凹陥部５５の形状及び位置は、前記メモリカード挿入部９等との干渉を避けられるような形状及び位置に設定されている。
【００４３】
また、凹陥部５５には、幅方向に対向する２つの対辺５６、５７が設けられていて、このうち図４中右側に位置する対辺５６は、用紙Ｐが給送用トレイ５にセットされる場合の基準となる用紙Ｐの搬送基準辺５８の延長線Ｌ上よりプリンタ本体３の幅方向内側に位置するように設定されている。また、凹陥部５５の幅寸法Ｂは、Ａ４サイズの用紙Ｐを縦向きで使用した場合に、Ａ４サイズの用紙Ｐの幅方向の両側縁が凹陥部５５の対向する２つの対辺５６、５７を跨ることができるような寸法に設定されている。
【００４４】
そして、このような凹陥部５５が設けられるスタッカ本体５２の幅寸法Ｗはプリンタ本体３のほぼ幅寸法一杯に開口された前面開口３０を閉塞し得るよう幅広に設定されている。また、プリンタ本体３の前面開口３０は、斜め前方下方を向くように傾斜姿勢で設けられており、これに伴い、排出用スタッカ５０は、閉塞状態においてスタッカ本体５２の回動自由端５４側が上部前方に位置し、スタッカ本体５２の回動基端５９側が下部後方に位置するように傾斜姿勢で設けられている。
【００４５】
また、本実施の形態では、スタッカ本体５２とプリンタ本体３との間には、排出用スタッカ５０の閉塞状態と拡開状態とをロックする２組のロック機構６０、６１が設けられている。これらのロック機構６０、６１は、共に同一の構造を有しており、付勢手段６２によって常時突出傾向が付与された係合凸部６３と、該係合凸部６３と係合することでロック状態を形成する係合凹部６４とを備えることによって構成されている。
【００４６】
そして、係合凸部６３と付勢手段６２については、図５、図６、図８に示すように、２組のロック機構６０、６１についてそれぞれ１組ずつ計２組設けられているのに対して、係合凹部６４は２組のロック機構６０、６１において共用し得る１つのみがスタッカ本体５２の幅方向の回動基端５９寄りの側面に対して設けられている。従って、排出用スタッカ５０に対して設けられている１つの係合凹部６４を使用して排出用スタッカ５０を回動するだけで、排出用スタッカ５０の閉塞状態と拡開状態の両方のロックを兼用して実行できるようになっている。
【００４７】
尚、図９には、ロック機構の他の実施の形態が示されている。この実施の形態では、排出用スタッカ５０の閉塞状態と延長スタッカ５３の引き出し状態をロックするための２つのロック機構が設けられている。そして、スタッカ本体５２とプリンタ本体３（メモリーカード挿入部９の正面右側の保持部）との間およびスタッカ本体５２と延長スタッカ５３との間に、排出用スタッカ５０の閉塞状態と延長スタッカ５３の引き出し状態をロックするための係合凸部と係合凹部からなる２組のロック機構が設けられている。具体的にはスタッカ本体５２に公知の係合凸部７１が設けられ、該係合凸部７１が共用のロック機構構成部材となり、プリンタ本体３側に公知の係合凹部（穴）７２が設けられ、更に延長スタッカ５３の引き出し時の対応位置に公知の係合凹部（図示せず）が設けられている。
【００４８】
排出用スタッカ５０の閉塞状態では、その閉塞位置で、スタッカ本体５２の係合凸部７１とプリンタ本体３側の係合凹部（穴）７２とが係合することでロック状態となる。一方、延長スタッカ５３の引き出し状態においては、その引き出し位置で、スタッカ本体５２の係合凸部７１と延長スタッカ５３側の係合凹部（図示せず）とが係合することでロック状態となる。従って、排出用スタッカ５０に対して設けられている１つの係合凸部７１を使用して、排出用スタッカ５０の閉塞状態と延長スタッカ５３の引き出し状態の両方のロックを兼用して実行できるようになっている。
【００４９】
次に、搬送方向の長さの短い（１）小さな用紙を使用する場合と、搬送方向の長さの長い（２）大きな用紙を使用する場合に分けて、本発明の排出用スタッカ５０の作用と操作について説明する。
【００５０】
（１）小さな用紙を使用する場合（図７参照）
給送用トレイ５上に小さな用紙Ｐをセットして、インクジェットプリンタ１００による記録の実行を開始すると、小さな用紙Ｐは搬送基準辺５８が常に延長線Ｌ上を通過するように前方に向けて搬送され、記録が実行されて排出用スタッカ５０の載置面５１上に排出される。
【００５１】
この状態では、図示のように用紙Ｐの搬送基準辺５８側と、用紙Ｐの先端部６５を除く残りの大部分の範囲とが排出用スタッカ５０の載置面５１上に位置しており、用紙Ｐに自立性が付与されるため用紙Ｐの先端部６５の垂れ下がりは生じない。また、この状態では、用紙Ｐの先端部６５の大部分は、スタッカ本体５２に対して形成されている凹陥部５５に位置しているため、用紙Ｐの先端部６５に指を掛けることができ、容易に排出用スタッカ５０から当該用紙Ｐを取り出すことができる。
【００５２】
（２）大きな用紙を使用する場合（図８参照）
この場合には、予め延長スタッカ５３を手前に引き出しておき、スタッカ本体５２に形成されている凹陥部５５を遮蔽した状態にしておく。そして給送用トレイ５上に大きな用紙Ｐをセットして、インクジェットプリンタ１００による記録の実行を開始すると、大きな用紙Ｐは上記小さな用紙Ｐと同様、搬送基準辺５８が常に延長線Ｌ上を通過するように前方に向けて搬送され、記録が実行されて排出用スタッカ５０及び延長スタッカ５３の載置面５１上に排出される。
【００５３】
この状態では、図示のように用紙Ｐの両側縁が凹陥部５５を跨って位置しており、延長スタッカ５３によって載置面５１は広い支持面積を有しているから、用紙Ｐは自立性を有し、用紙Ｐの先端部６５の垂れ下がりは生じない。また、用紙Ｐの先端部６５は、スタッカ本体５２の回動自由端５４より遥か前方に位置しており、その一部は延長スタッカ５３からはみ出して位置しているから、そのはみ出した用紙Ｐの先端部６５に指を掛けることによって容易に排出用スタッカ５０から当該用紙Ｐを取り出すことができる。
【００５４】
［他の実施例］
本願発明に係る排出用スタッカ５０及び該排出用スタッカ５０を備えた記録装置１００等は、以上述べたような構成を基本とするものであるが、本願発明の要旨を逸脱しない範囲内の部分的構成の変更や省略等を行なうことも勿論可能である。例えば、凹陥部５５の形状、大きさ、深さ等は、プリンタ本体３における前面開口３０に対して張り出して設けられるメモリカード挿入部９等の形状や大きさ等に合わせて種々変更することが可能である。従って、凹陥部５５の形状は、矩形状やＵ字状に限らず、台形状や円弧状等種々の形状が採用可能である。また、ロック機構６０、６１における係合凸部６３と係合凹部６４の配置を逆にしてプリンタ本体３側に２組の係合凹部６４を設け、スタッカ本体５２側に１組の係合凹部６４を設けるようにすることも可能である。
【図面の簡単な説明】
【００５５】
【図１】排出用スタッカ拡開時のインクジェットプリンタの外観を示す斜視図。
【図２】排出用スタッカ閉塞時のインクジェットプリンタの外観を示す斜視図。
【図３】インクジェットプリンタの内部構造の概略を示す側断面図。
【図４】大きな用紙を使用する場合のインクジェットプリンタを示す平面図。
【図５】排出用スタッカの拡開ロック時のインクジェットプリンタを示す側面図。
【図６】排出用スタッカの閉塞ロック時のインクジェットプリンタを示す側面図。
【図７】小さな用紙を使用する場合のインクジェットプリンタを示す平面図。
【図８】排出用スタッカの拡開ロック時と閉塞ロック時の状態を示す正面図。
【図９】他の実施の形態を、排出用スタッカ拡開時のインクジェットプリンタの外観にて示す斜視図。
【符号の説明】
【００５６】
２  自動給送装置、３  プリンタ本体（記録装置本体）、４  スキャナ装置、
５  給送用トレイ、６  前面パネル、７  液晶モニタ画面、８  操作ボタン、
９  メモリカード挿入部、１０  キャリッジ、１１  無端ベルト、
１２  キャリッジガイド軸、１３  記録ヘッド、１４  給送用ローラ、
１５  エッジガイド、１６  ホッパ、１７  回転軸（給送用ローラの）、
１８  ローラホルダ（搬送用従動ローラ用の）、１９  搬送用ローラ、
１９ａ  搬送用駆動ローラ、１９ｂ  搬送用従動ローラ、２０  排出用ローラ、
２０ａ  排出用駆動ローラ、２０ｂ  排出用ギザローラ、２２  排出用補助ギザローラ、２６  記録ポジション、２８  プラテン、３０  前面開口、５０  排出用スタッカ、
５１  載置面、５２  スタッカ本体、５３  延長スタッカ、５４  回動自由端、
５５  凹陥部、５６  対辺、５７  対辺、５８  搬送基準辺、５９  回動基端、
６０  ロック機構、６１  ロック機構、６２  付勢手段、６３  係合凸部、
６４  係合凹部、６５  先端部、７１  係合凸部、７２  係合凹部、
１００  インクジェットプリンタ（記録装置）、
Ｐ  用紙（被記録材）、Ｘ  主走査方向、Ｙ  副走査方向、ＰＧ  プラテンギャップ、
Ｃ  インクカートリッジ、Ｌ  延長線、Ｂ  幅寸法（凹陥部の）、
Ｗ  幅寸法（スタッカ本体の）
【図１】
2006282334.tif 000003
【図２】
2006282334.tif 000004
【図３】
2006282334.tif 000005
【図４】
2006282334.tif 000006
【図５】
2006282334.tif 000007
【図６】
2006282334.tif 000008
【図７】
2006282334.tif 000009
【図８】
2006282334.tif 000010
【図９】
2006282334.tif 000011